(57)【特許請求の範囲】
【請求項１】
建物の壁を構成する内装下地材付き壁体であって、
壁パネルで構成された壁体の両面のうちの少なくとも一方の表面の下端部に、該壁体の幅方向に長尺な帯状をなす木質の帯状板材が、前記壁体の下端面とほぼ面一になるようにして取り付けられ、
前記帯状板材の上方において、前記壁体の表面に、内装下地材が前記帯状板材の上面に当接するようにして取り付けられていることを特徴とする内装下地材付き壁体。
【請求項２】
請求項１記載の内装下地材付き壁体において、
壁体の表面側部には、帯状板材と内装下地材が取り付けられていない未艤装領域が設けられていることを特徴とする内装下地材付き壁体。
【請求項３】
請求項１または２記載の内装下地材付き壁体において、
壁体の表面上部および表面下部には、帯状板材と内装下地材が取り付けられていない未艤装領域が設けられていることを特徴とする内装下地材付き壁体。
【請求項４】
請求項１〜３のいずれかに記載の内装下地材付き壁体において、
壁体の一方の表面に、帯状板材と内装下地材が取り付けられ、前記壁体の他方の表面には、外壁材が取り付けられていることを特徴とする内装下地材付き壁体。
【請求項５】
請求項１〜３のいずれかに記載の内装下地材付き壁体において、
壁体の両面にそれぞれ、帯状板材と内装下地材が取り付けられていることを特徴とする内装下地材付き壁体。
【請求項６】
請求項１〜５のいずれかに記載の内装下地材付き壁体において、
壁体が複数の壁パネルを接合することで構成された大型壁パネルであることを特徴とする内装下地材付き壁体。
【発明の詳細な説明】
【０００１】
【発明の属する技術分野】
本発明は、壁パネルで構成される壁体であって、表面に石膏ボード等の内装下地材が取り付けられている壁体に関するものである。
【０００２】
【背景の技術】
住宅の構築においては、その工業化が進み、例えば、壁や床、屋根といった構成要素を予め工場にてパネル化しておき、施工現場でこれらのパネルを組み立てることにより、住宅を構築するといったパネル工法が一部に採用されている。
このパネル工法において、建物の壁を構築する場合に使用される壁パネルは、框材を矩形枠状に組み付け、その内側に補強桟材を縦、横もしくは縦横に組み付けてなる枠体の表裏両面に合板等の面材を取り付けることで構成されている。
【０００３】
例えば、特開平８−３０２８６３号公報に示すように、建築現場において、前記壁パネルを用いて建物の外壁を構築する場合、図１０に示すように、基礎１の上面に台輪を載せたうえで、基礎１の上面内側半分に床体となる床パネル２を載置するとともに上面外側半分に半土台３を載置し、これら床パネル２と半土台３の上に、前記壁パネル４を載置する。前記床パネル２と半土台３には、その接合面に切り欠きが形成されており、床パネル２と半土台３とを接合した際に前記切り欠きによって形成された孔にアンカーボルト５を挿通し、さらにこのアンカーボルト５を壁パネル４の下部の框材４ａに設けられた挿通孔に挿通し、この框材４ａから突出したアンカーボルト５に座金を挿通した後、ナット６で締め付けることにより、壁パネル４を基礎１に締結する。そして、壁パネルの面材から框材４ａを通して前記床パネル２の框材２ａにスクリュー釘等の止着材７を打ち込み、その後、これら外壁パネルの建物の外側の面に外壁材（サイディング）８を取り付け、一方、内側の面に石膏ボード等の内装下地材９を取り付けるようにしている。
【０００４】
【発明が解決しようとする課題】
ところで、近年、パネル工法についての工業化が進んでおり、工場等において予め外壁材（サイディング）を壁パネルに取り付けておき、この外壁材付き壁パネルを建築現場で組み立てることも行われており、さらに、外壁材付き壁パネルの外壁材が取り付けられていない面材や、内壁パネルの面材に、石膏ボード等の内装下地材を工場等で予め取り付けることで、工業化をさらに進めることが望まれているが、従来の技術では、以下に述べるような理由によって、内装下地材を予め取り付けることができなかった。
すなわち、建築現場で壁パネルを床パネル上に立設する際に、壁パネルの内側の面材から框材を通して床パネルの框材にスクリュー釘等の止着材を打ち込むようにしているので、この際に、内装下地材に亀裂や割れが生じる可能性があった。そして、内装下地材に亀裂や割れが生じると、内装下地材を張り直す必要があり、非常に手間がかかることになるので、現状では、壁パネルに内装下地材を予め取り付けることは行っていなかった。
また、壁パネルに予め内装下地材を取り付けるには、例えば、該内装下地材の下端を壁パネルの下端にあわせて取り付ける必要があるが、内装下地材の下端が壁パネルの下端より若干突出していた場合、壁パネルを床上に設置した際に、壁パネルの下端から突出している内装下地材に床側から力が作用すると、この力によって、内装下地材に亀裂や割れが生じる可能性があるので、壁パネルの下端から内装下地材の下端が突出しないようにして、該内装下地材を壁パネルに取り付ける際の位置決めに手間がかかるという問題もあり、この点においても、現状では、壁パネルに内装下地材を予め取り付けることは行っていなかった。
【０００５】
本発明は上記事情に鑑みてなされたもので、壁パネルに内装下地材を予め取り付けた状態で建物を施工することができる内装下地材付き壁体を提供することを目的としている。
【０００６】
【課題を解決するための手段】
以上の課題を解決すべく請求項１記載の内装下地材付き壁体は、例えば図１〜図３に示すように、
建物の壁を構成する内装下地材付き壁体１０，２０，３０であって、
壁パネルで構成された壁体１０ａ，２０ａ，３０ａの両面のうちの少なくとも一方の表面（面材１２，２２，３２，３３）の下端部に、該壁体１０ａ，２０ａ，３０ａの幅方向に長尺な帯状をなす木質の帯状板材１４，２４，３４ａ，３４ｂが、前記壁体１０ａ，２０ａ，３０ａの下端面とほぼ面一になるようにして取り付けられ、
前記帯状板材１４，２４，３４ａ，３４ｂの上方において、前記壁体１０ａ，２０ａ，３０ａの表面に、内装下地材１５，２５，３５ａ，３５ｂが前記帯状板材１４，２４，３４ａ，３４ｂの上面に当接するようにして取り付けられていることを特徴とする。
【０００７】
ここで、壁体１０ａ，２０ａ，３０ａとしては、例えば、パネル工法で使用される壁パネルが挙げられる。この壁パネルとしては、框材を矩形枠状に組み付け、その内側に補強桟材を縦、横もしくは縦横に組み付けてなる枠体の表裏両面に合板等の面材を取り付けることで構成されているものが一般的である。
内装下地材１５，２５，３５ａ，３５ｂとしては、例えば石膏ボードがある。そして、このような内装下地材付き壁体１０，２０，３０は工場で複数用意されるのが一般的である。
【０００８】
請求項１記載の内装下地材付き壁体１０，２０，３０においては、壁体１０ａ，２０ａ，３０ａの両面のうちの少なくとも一方の表面の下端部に帯状板材１４，２４，３４ａ，３４ｂを壁体１０ａ，２０ａ，３０ａの下端面とほぼ面一になるようにして取り付け、この帯状板材１４，２４，３４ａ，３４ｂの上方において、壁体１０ａ，２０ａ，３０ａの表面に内装下地材１５，２５，３５ａ，３５ｂを帯状板材１４，２４，３４ａ，３４ｂの上面に当接するようにして取り付けたので、このような内装下地材付き壁体１０，２０，３０を建築現場で床部４０の床面４２に立設して組み立て、前記帯状板材１４，２４，３４ａ，３４ｂの表面から前記壁体１０ａ，２０ａ，３０ａを通して前記床部４０にスクリュー釘等の止着材（スクリュー釘８０，９０，９１）を打ち込むことにより、壁体１０ａ，２０ａ，３０ａに内装下地材１５，２５，３５ａ，３５ｂを予め取り付けた状態で建物の壁を構築することができる。したがって、建築現場において、壁体１０ａ，２０ａ，３０ａに内装下地材１３０・・・を取り付ける作業を省略できる。
また、帯状板材１４，２４，３４ａ，３４ｂを、前記壁体１０ａ，２０ａ，３０ａの下端面とほぼ面一になるようにして取り付け、前記帯状板材１４，２４，３４ａ，３４ｂの上方において、前記壁体１０ａ，２０ａ，３０ａの表面に、内装下地材１５，２５，３５ａ，３５ｂを前記帯状板材１４，２４，３４ａ，３４ｂの上面に当接するようにして取り付けたので、内装下地材１５，２５，３５ａ，３５ｂの壁体１０ａ，２０ａ，３０ａ表面に対する取り付け位置の位置決めが容易であり、しかも内装下地材１５，２５，３５ａ，３５ｂが内装下地材付き壁体１０，２０，３０の下端から突出することがないので、内装下地材１５，２５，３５ａ，３５ｂに亀裂や割れ等を生じさせることなく、内装下地材付き壁体１０，２０，３０を床上に確実に設置することができる。
【０００９】
請求項２記載の内装下地材付き壁体は、例えば図１および図６に示すように、請求項１において、
壁体１０ａ，２０ａ，３０ａの表面側部には、帯状板材１４，２４，３４ａ，３４ｂと内装下地材１５，２５，３５ａ，３５ｂが取り付けられていない未艤装領域１６・・・，２６，２６，２６，３６・・・が設けられていることを特徴とする。
【００１０】
請求項２記載の内装下地材付き壁体１０，２０，３０においては、壁体１０ａ，２０ａ，３０ａの表面側部には、帯状板材１４，２４，３４ａ，３４ｂと内装下地材１５，２５，３５ａ，３５ｂが取り付けられていない未艤装領域１６・・・，２６，２６，２６，３６・・・が設けられていることから、この内装下地材付き壁体１０，２０，３０を用いて建物の壁を構築することで、壁体１０ａ，２０ａ，３０ａに取り付けられた内装下地材１５，２５，３５ａ，３５ｂが、前記内装下地材付き壁体１０，２０，３０どうしを接合する際に邪魔にならない。
そして、内装下地材付き壁体１０，２０，３０どうしを接合した後は、建築現場で内装下地材１３０・・・を取り付ける部分が、前記未艤装領域１６・・・，２６，２６，２６，３６・・・のみになることから、建築現場において、壁体１０ａ，２０ａ，３０ａに内装下地材１３０・・・を取り付ける作業を簡略化できる。
【００１１】
請求項３記載の内装下地材付き壁体は、例えば図１および図６に示すように、請求項１または２において、
壁体１０ａ，２０ａ，３０ａの表面上部および表面下部には、帯状板材１４，２４，３４ａ，３４ｂと内装下地材１５，２５，３５ａ，３５ｂが取り付けられていない未艤装領域１６・・・，２６，２６，２６，３６・・・が設けられていることを特徴とする。
【００１２】
請求項３記載の内装下地材付き壁体１０，２０，３０おいては、内装下地材付き壁体１０，２０，３０の表面上部および表面下部には、帯状板材１４，２４，３４ａ，３４ｂと内装下地材１５，２５，３５ａ，３５ｂが取り付けられていない未艤装領域１６・・・，２６，２６，２６，３６・・・が設けられていることから、この内装下地材付き壁体１０，２０，３０を用いて建物の壁を構築することで、前記内装下地材付き壁体１０，２０，３０に取り付けられた内装下地材１５，２５，３５ａ，３５ｂが、前記内装下地材付き壁体１０，２０，３０と該内装下地材付き壁体１０，２０，３０の上下に位置する構造物（基礎５０、内装下地材付き壁体７０，１００）とを接合する際に邪魔にならない。
そして、前記内装下地材付き壁体１０，２０，３０を該内装下地材付き壁体１０，２０，３０の上下に位置する構造物（基礎５０、内装下地材付き壁体７０，１００）に接合した後は、建築現場で内装下地材１３０・・・を取り付ける部分が、前記未艤装領域１６・・・，２６，２６，２６，３６・・・のみになることから、建築現場において、壁体に内装下地材１３０・・・を取り付ける作業を簡略化できる。
【００１３】
請求項４記載の内装下地材付き壁体は、例えば図１および図２に示すように、請求項１〜３のいずれかにおいて、
壁体１０ａの一方の表面（面材１２）に、帯状板材１４と内装下地材１５が取り付けられ、前記壁体１０ａの他方の表面（面材１３）には、外壁材１９が取り付けられていることを特徴とする。
【００１４】
請求項４記載の内装下地材付き壁体１０においては、壁体１０ａの一方の表面（面材１２）に、帯状板材１４と内装下地材１５が取り付けられ、前記壁体１０ａの他方の表面（面材１３）には、外壁材１９が取り付けられているから、この内装下地材付き壁体１０を用いて建物の外壁を構築することで、建築現場での外壁材１９および内装下地材１３０・・・の取り付け作業を省略または簡略化できる。
【００１５】
請求項５記載の内装下材付き壁体は、例えば図３に示すように、請求項１〜３のいずれかにおいて、
壁体３０ａの両面にそれぞれ、帯状板材３４ａ，３４ｂと内装下地材３５ａ，３５ｂが取り付けられていることを特徴とする。
【００１６】
請求項５記載の内装下地材壁体３０においては、壁体３０ａの両面にそれぞれ、帯状板材３４ａ，３４ｂと内装下地材３５ａ，３５ｂが取り付けられているから、この内装下地材付き壁体３０を用いて建物の内壁を構築することで、建築現場での内装下地材１３０・・・の取り付け作業を省略または簡略化できる。
【００１７】
請求項６記載の内装下地材付き壁体は、例えば図１に示すように、請求項１〜５のいずれかにおいて、
壁体１０，２０，３０が複数の壁パネルを接合することで構成された大型壁パネルであることを特徴とする。
【００１８】
請求項６記載の内装下地材付き壁体１０，２０，３０においては、壁体１０ａ，２０ａ，３０ａが複数の壁パネルを接合することで構成された大型壁パネルであるため、この内装下地材付き壁体１０，２０，３０で建物の壁を構築することで、建築現場での壁パネル同士の接合作業を削減できる。したがって建築現場における作業効率がさらにアップする。
【００１９】
【発明の実施の形態】
以下に、本発明の実施の形態を図面に基づいて説明する。本実施の形態では、本発明に係る内装下地材付き壁体を用いて建物の壁を構築する場合について示す。
まず、図１に基づいて本発明に係る内装下地材付き壁体と、この内装下地材付き壁体が立設される床部の概略構成について説明する。図１は、本発明に係る内装下地材付き壁体を床部に立設した際の内装下地材および床部の構成の一部を示した斜視図である。
【００２０】
図１に示すように、本発明に係る内装下地材付き壁体１０，１０，２０，３０を構成する壁体１０ａ，１０ａ，２０ａ，３０ａはいずれも複数の壁パネルを接合することで構成されている大型壁パネルである。ここで、壁体１０ａ，１０ａ，２０ａ，３０ａを構成している壁パネルは、框材を矩形枠状に組み付け、その内側に補強桟材を縦、横もしくは縦横に組み付けてなる枠体の表裏両面に合板等の面材を取り付けることで構成されている。そして、これら内装下地材付き壁体１０，１０，２０，３０をはじめとした、本実施の形態で使用される内装下地材付き壁体は、工場で複数用意される。
床部４０は、複数の床パネルで構成されている。床パネルの構造は、壁パネルとほぼ同じであるが、下端面には面材が取り付けられていない点が異なる（図２参照）。なお、図１は建物の一階を示している。
【００２１】
つぎに、図１〜図３に基づいて、内装下地材付き壁体１０，２０，３０の構成について説明する。図２は内装下地材付き壁体１０と床部４０との接合部分を示した断面図であり、図３は、内装下地材付き壁体３０と床部４０との接合部分を示した断面図である。
内装下地材付き壁体１０は、開口部１０ｂを有しており、建物の外壁を構成している。そして、内装下地材付き壁体１０は、壁体１０ａの一方の表面を構成する面材１２の下端部に、壁体１０ａの幅方向に長尺な帯状をなす木質の帯状板材１４が、壁体１０ａの下端面とほぼ面一になるようにして取り付けられ、帯状板材１４の上方において、面材１２に内装下地材（石膏ボード）１５が帯状板材１４の上面に当接するようにして取り付けられている構成となっている。なお、前記帯状板材１４は、その表面から壁体１０ａの框材１１ａにビス８１をねじ込むことで、壁体１０ａの下端部に固定されている。また、ビス８１は、帯状板材１４の長さ方向に所定間隔で複数ねじ込まれている。そして、面材１２の上部、側部、下部には、帯状板材１４と内装下地材１５が取り付けられていない未艤装領域１６・・・が設けられている。そして、未艤装領域１６・・・には開口１７ａ，１７ａ，１７ａ，１７ｂ，１７ｂ，１７ｂが設けられている。
開口１７ａ，１７ａ，１７ａは、壁体１０ａの内部まで連通しており、後述するように、内装下地材付き壁体１０を、基礎５０（図２）に締結する際のナットやラチェットレンチの挿入口として使用される。また、図示しないが、内装下地材付き壁体１０の下端部を構成する框材１１ａ（図２）には、内装下地材付き壁体１０を基礎５０に締結するのに使用されるアンカーボルトを挿通するための挿通孔が、開口１７ａの近傍において、框材１１ａの下端面から内装下地材付き壁体１０内部まで達するように設けられている。
開口１７ｂ，１７ｂ，１７ｂは、壁体１０ａの内部まで連通しており、後述するように、内装下地材付き壁体１０を、二階を構成する内装下地材付き壁体７０（図４）に締結する際の胴差ボルトやラチェットレンチの挿入口として使用される。また、壁体１０ａの上端部を構成する框材１１ｂ（図４）には、内装下地材付き壁体１０を内装下地材付き壁体７０に締結するのに使用される胴差ボルトを挿通するための挿通孔が、開口１７ｂの近傍において、框材１１ｂの上端面から壁体１０ａ内部まで達するように設けられている。
また、壁体１０ａの他方の表面を構成する面材１３には胴縁１８・・・を介して外壁材１９が取り付けられている（図２）。
【００２２】
内装下地材付き壁体２０は、建物の外壁を構成しており、壁体２０ａの建物の内側を向く面材２２の下端部に、壁体２０ａの幅方向に長尺な帯状をなす木質の帯状板材２４が、壁体２０ａの下端面とほぼ面一になるようにして取り付けられ、帯状板材２４の上方において、面材２２に内装下地材２５が帯状板材２４の上面に当接するようにして取り付けられた構成となっている。なお、図示しないが、前記帯状板材２４は、その表面から壁体２０ａの下端部を構成する框材にビスを打ち込むことで、壁体２０ａの下端部に固定されている。また、このビスは、帯状板材２４の長さ方向に所定間隔で複数ねじ込まれている。そして、面材２２の上部、側部、下部には、帯状板材２４と内装下地材２５が取り付けられていない未艤装領域２６，２６，２６が設けられている。そして、未艤装領域２６，２６，２６には開口２７ａ，２７ａ，２７ｂ，２７ｂが設けられている。
開口２７ａ，２７ａは、壁体２０ａの内部まで連通しており、内装下地材付き壁体２０を、基礎５０に締結する際のナットやラチェットレンチの挿入口として使用される。また、壁体２０ａの下端部を構成する框材には、内装下地材付き壁体２０を基礎５０に締結するのに使用されるアンカーボルトを挿通するための挿通孔が、開口２７ａの近傍において、前記框材の下端面から壁体２０ａ内部まで達するように設けられている。
開口２７ｂ，２７ｂは、壁体２０ａの内部まで連通しており、内装下地材付き壁体２０を、二階を構成する壁体（図示せず）に締結する際の胴差ボルトやラチェットレンチの挿入口として使用される。また、壁体２０ａの上端面を構成する框材には、内装下地材付き壁体２０を二階を構成する壁体に締結するのに使用される胴差ボルトを挿通するための挿通孔が、開口２７ｂの近傍において、前記框材の上端面から壁体２０ａ内部まで達するように設けられている。
【００２３】
内装下地材付き壁体３０は、一部省略して図示されているので、図示されている部分のみ説明する。
内装下地材付き壁体３０は、建物の内壁を構成しており、開口部３０ｂを有している。
内装下地材付き壁体３０は、壁体３０ａの面材３２および面材３３の下端部に、壁体３０ａの幅方向に長尺な帯状をなす木質の帯状板材３４ａおよび３４ｂ（図５参照）が、壁体３０ａの下端面とほぼ面一になるようにして取り付けられ、また、帯状板材３４ａ，３４ｂの上方において、面材３２および面材３３に内装下地材３５ａ，３５ｂが帯状板材３４ａ，３４ｂの上面に当接するようにして取り付けられている。そして、帯状板材３４ａ，３４ｂは、それらの表面から、壁体３０ａの框材３１ａにそれぞれビス９２，９３をねじ込むことで、壁体３０ａの下端部に固定されている。また、ビス９２，９３は、それぞれ帯状板材３４ａ，３４ｂの長さ方向に所定間隔で複数ねじ込まれている。そして、面材３２および面材３３の上部、側部、下部には、帯状板材３４ａ，３４ｂと内装下地材３５ａ，３５ｂの取り付けられていない未艤装領域３６・・・が設けられている。そして、面材１２の未艤装領域３６・・・には開口３７ａ，３７ｂが設けられている。
開口３７ａは、壁体３０ａの内部まで連通しており、壁体３０ａを、基礎５０（図３）に締結する際のナットやラチェットレンチの挿入口として使用される。また、壁体３０ａの下端部を構成する框材３１ａには、内装下地材付き壁体３０を基礎５０に締結するのに使用されるアンカーボルトを挿通するための挿通孔が、開口３７ａの近傍において、前記框材３１ａの下端面から壁体３０ａ内部まで達するように設けられている。
開口３７ｂは、壁体３０ａの内部まで連通しており、内装下地材付き壁体３０を、二階を構成する内装下地材付き壁体１００に締結する際の胴差ボルトやラチェットレンチの挿入口として使用される。また、壁体３０ａの上端面を構成する框材３１ｂ（図５）には、内装下地材付き壁体３０を二階を構成する壁体に締結するのに使用される胴差ボルトを挿通するための挿通孔が、開口３７ｂの近傍において、框材の上端面から壁体３０ａ内部まで達するように設けられている。
なお、図示しないが、面材３３の未艤装領域３６・・・にも同様の開口が設けられている。
【００２４】
つぎに、一階を構成する壁体を床部４０の床面４２に立設する方法について、図２および図３を用いて説明する。まず、内装下地材付き壁体１０について説明する。
基礎５０の上面に台輪を載せたうえで、基礎５０の上面内側半分に床部４０を構成する床パネルの框材４１を載置するとともに上面外側半分に半土台４３を載置する。ここで、框材４１と半土台４３には、予めその接合面に切り欠きを形成しておく。ついで、床部４０と半土台４３の上に、内装下地材付き壁体１０を載置するとともに、框材４１と半土台４３とを接合した際に前記切り欠きによって形成された孔にアンカーボルトを挿通する。ついで、このアンカーボルトを框材１１ａに設けられた挿通孔に挿通し、この框材１１ａから突出したアンカーボルトに座金を外挿するとともにナットを螺合する。ついで、開口１７ａからラチェットレンチを挿入し、このレンチでナットを締め付けることにより、内装下地材付き壁体１０を基礎５０に締結する。
その後、帯状板材１４から、框材１１ａを貫通して框材４１に達するようにスクリュー釘８０を打ち込む。このスクリュー釘８０は、帯状板材１４の長さ方向に所定間隔で複数打ち込まれる。
【００２５】
内装下地材付き壁体３０に関しては、図３を用いて説明する。
基礎５０の上面に台輪を載せたうえで、基礎５０の一方の上面半分に床部４０を構成する床パネルの框材４４を載置するとともに他方の上面半分に床部４０を構成する他の床パネルの框材４５を載置する。ここで、框材４４と框材４５には、予めその接合面に切り欠きを形成しておく。ついで、これら床パネルの上に壁体３０を載置するとともに、これら床パネルどうしを接合した際に前記切り欠きによって形成された孔にアンカーボルトを挿通する。ついで、このアンカーボルトを框材３１ａに設けられた挿通孔に挿通し、この框材３１ａから突出したアンカーボルトに座金を外挿するとともにナットを螺合する。ついで、開口３７ａからラチェットレンチを挿入し、このレンチでナットを締め付け、内装下地材付き壁体３０を基礎５０に締結する。
その後、帯状板材３４ａから、框材３１ａを貫通して框材４５に達するように、スクリュー釘９０を打ち込み、一方、帯状板材３４ｂから、框材３１ａを貫通して框材４４に達するように、スクリュー釘９１を打ち込む。これらスクリュー釘９０，９１は、帯状板材３４ａ，３４ｂの長さ方向に所定間隔で複数打ち込まれる。
【００２６】
以上の作業を図示しない一階を構成する他の壁体に関しても行う一方で、隣接する壁体どうしを接合することにより、一階を構成する壁体を床部４０の床面４２に立設する。
【００２７】
つぎに、一階を構成する壁体を二階を構成する壁体に締結する方法について、図４および図５を用いて説明する。図４は、内装下地材付き壁体１０の上端面と、二階を構成する床部６０との接合部分を示した断面図であり、図５は、内装下地材付き壁体３０の上端面と二階を構成する床部６０との接合部分を示した断面図である。
２階を構成する内装下地材付き壁体７０，１００は、内装下地材付き壁体１０，２０，３０と同様の形状をしているが、図４および図５に示すように、下端部には結合材７８，１０８が取り付けられており、帯状板材７４，１０４ａ，１０４ｂが、結合材７８，１０８の下端面とほぼ面一になるように取り付けられている。そして、結合材７８，１０８にもビス１１２，１２４，１２５がねじ込まれている。また、内装下地材付き壁体７０，１００の下端部を構成する結合桁７８，１０８および框材７１ｂ、１０１ｂには、後述する胴差ボルトを挿通するための挿通孔が、結合桁７８，１０８の下端面から内装下地材付き壁体７０，１００の内部まで連通するように形成されている。
【００２８】
まず、内装下地材付き壁体１０から説明する。
内装下地材付き壁体１０の上端部を構成する框材１１ｂの上面の内側半分に床部６０を構成する床パネルの框材６１を載置するとともに上面外側半分に胴差６３を載置する。ついで、框材６１と胴差６３との接合部分に、框材１１ｂに設けられた挿通孔に連通する孔を形成する。ついで、床面６２と胴差６３の上に内装下地材付き壁体７０を載置するとともに框材１１ｂに形成された挿通孔に胴差ボルトを挿通し、胴差ボルトの下端から座金とナットを入れる。ついで、この胴差ボルトを内装下地材付き壁体７０の下端面を構成する框材７１ａおよび結合桁７８に設けられた挿通孔に挿通する。ついで、この框材７１ａから突出した胴差ボルトに座金を外挿するとともにナットを螺合して、内装下地材付き壁体７０に設けられた開口からラチェットレンチを挿入し、このレンチでナットを締め付ける。一方、外壁材６６を、内装下地材付き壁体１０と床部６０との接合部分を被うように設ける。
以上の作業により、内装下地材付き壁体７０を内装下地材付き壁体１０に床部６０と胴差６３を挟み付ける形態で接合する。その後、帯状板材７４から、結合材７８を貫通して框材６１に達するようにスクリュー釘１１０を打ち込む。このスクリュー釘１１０は、帯状板材７４の長さ方向に所定間隔で複数打ち込まれる。
【００２９】
内装下地材付き壁体３０に関しては、図５を用いて説明する。まず、内装下地材付き壁体３０の上端部を構成する框材３１ｂの上面の一方の半分に床部６０を構成する床パネルの框材６４を載置するとともに上面の他方の半分に床部６０を構成する他の床パネルの框材６５を載置する。ついで、框材６４と框材６５との接合部分に、框材３１ｂに設けられた挿通孔に連通する孔を形成する。ついで、これら床パネルの上に内装下地材付き壁体１００を載置するとともに框材３１ｂに形成された挿通孔に胴差ボルトを挿通し、胴差ボルトの下端から座金とナットを入れる。ついで、この胴差ボルトを内装下地材付き壁体１００の下端部を構成する框材１０１ａおよび結合桁１０８に設けられた挿通孔に挿通する。ついで、この框材１０１ａから突出した胴差ボルトに座金を外挿するとともにナットを螺合して、内装下地材付き壁体１００に設けられた開口からラチェットレンチを挿入し、このレンチでナットを締め付ける。
以上の作業により、二階の内装下地材付き壁体１００を１階の内装下地材付き壁体３０に床部６０を挟み付ける形態で接合する。その後、帯状板材１０４ａから、結合材を貫通して框材６４に達するようにスクリュー釘１２０を打ち込み、一方、帯状板材１０４ｂから、結合材１０８を貫通して框材６５に達するようにスクリュー釘１２１を打ち込む。これらスクリュー釘１２０，１２１は、帯状板材１０４ａ、１０４ｂの長さ方向に所定間隔で複数打ち込まれる。
【００３０】
上記の作業を一階を構成するすべての壁体について行って、一階を構成する壁体を２階を構成する壁体に締結する。その後、図６に示すように未艤装領域１６・・・，２６，２６，２６，３６・・・その他の、建物の内側の表面で内装下地材が取り付けられていない部分に、内装下地材１３０・・・を取り付ける。図７に建物の内側の表面全体に内装下地材が取り付けられた状態の一部を示す。
【００３１】
以上により、本実施の形態によれば、壁体１０ａ，２０ａ，３０ａ，７０ａ，１００ａの両面のうちの少なくとも一方の表面の下端部に帯状板材１４，２４，３４ａ，３４ｂ，７４，１０４ａ，１０４ｂを壁体１０ａ，２０ａ，３０ａ，７０ａ，１００ａの下端面とほぼ面一になるようにして取り付け、この帯状板材１４，２４，３４ａ，３４ｂ，７４，１０４ａ，１０４ｂの上方において、壁体１０ａ，２０ａ，３０ａ，７０ａ，１００ａの表面に内装下地材１５，２５，３５ａ，３５ｂ，７５，１０５ａ，１０５ｂを帯状板材１４，２４，３４ａ，３４ｂ，７４，１０４ａ，１０４ｂの上面に当接するようにして取り付けたので、このような内装下地材付き壁体１０，２０，３０，７０，１００を建築現場で床部４０，６０の床面４２，６２に立設して組み立て、前記帯状板材１４，２４，３４ａ，３４ｂ，７４，１０４ａ，１０４ｂの表面から前記壁体１０ａ，２０ａ，３０ａ，７０ａ，１００ａを通して前記床部４０，６０にスクリュー釘８０，９０，９１，１１０，１２０，１２１を打ち込むことにより、壁体１０ａ，２０ａ，３０ａ，７０ａ，１００ａに内装下地材１５，２５，３５ａ，３５ｂ，７５，１０５ａ，１０５ｂを予め取り付けた状態で建物の壁を構築することができる。したがって、建築現場において、壁体１０ａ，２０ａ，３０ａ，７０ａ，１００ａに内装下地材１３０・・・を取り付ける作業を省略できる。
また、帯状板材１４，２４，３４ａ，３４ｂ，７４，１０４ａ，１０４ｂを、前記壁体１０ａ，２０ａ，３０ａ，７０ａ，１００ａの下端面とほぼ面一になるようにして取り付け、前記帯状板材１４，２４，３４ａ，３４ｂ，７４，１０４ａ，１０４ｂの上方において、前記壁体１０ａ，２０ａ，３０ａ，７０ａ，１００ａの表面に、内装下地材１５，２５，３５ａ，３５ｂ，７５，１０５ａ，１０５ｂを前記帯状板材１４，２４，３４ａ，３４ｂ，７４，１０４ａ，１０４ｂの上面に当接するようにして取り付けたので、内装下地材１５，２５，３５ａ，３５ｂ，７５，１０５ａ，１０５ｂの壁体１０ａ，２０ａ，３０ａ，７０ａ，１００ａ表面に対する取り付け位置の位置決めが容易であり、しかも内装下地材１５，２５，３５ａ，３５ｂ，７５，１０５ａ，１０５ｂが内装下地材付き壁体１０，２０，３０，７０，１００の下端から突出することがないので、内装下地材１５，２５，３５ａ，３５ｂ，７５，１０５ａ，１０５ｂに亀裂や割れ等を生じさせることなく、内装下地材付き壁体１０，２０，３０，７０，１００を床上に確実に設置することができる。
また、壁体１０ａ，２０ａ，３０ａの表面上部、側部および下部には、帯状板材１４，２４，３４ａ，３４ｂと内装下地材１５，２５，３５ａ，３５ｂが取り付けられていない未艤装領域１６・・・，２６，２６，２６，３６・・・が設けられていることから、壁体１０ａ，２０ａ，３０ａに取り付けられた内装下地材１５，２５，３５ａ，３５ｂが、前記内装下地材付き壁体１０，２０，３０どうしを接合する際や、内装下地材付き壁体１０，２０，３０と基礎５０あるいは内装下地材付き壁体７０，１００とを接合する際に邪魔にならない。
そして、内装下地材付き壁体１０，２０，３０どうしを接合し、ついで内装下地材付き壁体１０，２０，３０を該内装下地材付き壁体１０，２０，３０の上下に位置する構造物すなわち基礎５０および内装下地材付き壁体７０，１００等に接合した後は、建築現場で内装下地材１３０・・・を取り付ける部分が、前記未艤装領域１６・・・，２６，２６，２６，３６・・・のみになることから、建築現場において、壁体１０ａ，２０ａ，３０ａに内装下地材１３０・・・を取り付ける作業を簡略化できる。
また、壁体１０ａ，２０ａ，７０ａの面材１２，２２，７２には、帯状板材１４，２４，７４と内装下地材１５，２５，７５が取り付けられ、壁体１０ａ，２０ａ，７０ａの面材１３，２３，７３には、外壁材１９，２９，７９が取り付けられているから、この内装下地材付き壁体１０，２０，７０を用いて建物の外壁を構築することで、建築現場での外壁材１９，２９，７９および内装下地材１３０・・・の取り付け作業を省略または簡略化できる。
また、壁体３０ａ，１００ａの両面にそれぞれ、帯状板材３４ａ，３４ｂ，１０４ａ，１０４ｂと内装下地材３５ａ，３５ｂ，１０５ａ，１０５ｂが取り付けられているから、この内装下地材付き壁体３０，１００を用いて建物の内壁を構築することで、建築現場での内装下地材１３０・・・の取り付け作業を省略または簡略化できる。
また、壁体１０ａ，２０ａ，３０ａ，７０ａ，１００ａが複数の壁パネルを接合することで構成された大型壁パネルであるため、この内装下地材付き壁体１０，２０，３０，７０，１００で建物の壁を構築することで、建築現場での壁パネル同士の接合作業を削減できる。したがって建築現場における作業効率がさらにアップする。
【００３２】
なお、以上の実施の形態例においては、内装下地材付き壁体１０，２０，３０の構成のみ示したが本発明はこれに限定されるものではなく、例えば図８、図９に示すような構成の内装下地材付き壁体１４０，１５０を用いてもよい。これら内装下地材付き壁体１４０，１５０は開口部１４０ｂ，１５０ｂ，１５０ｂを有し、また、内装下地材付き壁体１０等と同様に、壁体１４０ａ，１５０ａの一方の面材に帯状板材１４４，１４４，１５４，１５４，１５４，１５４、内装下地材１４５，１５５、未艤装領域１４６，１４６，１４６，１５６，１５６，１５６，１５６等が設けられている。そして、壁体１４０ａ，１５０ａの図示しない他方の面材には外壁材や内装下地材が取り付けられ、外壁としても内壁としても用いられる。
【００３３】
【発明の効果】
請求項１記載の発明に係る内装下地材付き壁体によれば、壁体の両面のうちの少なくとも一方の表面の下端部に帯状板材を壁体の下端面とほぼ面一になるようにして取り付け、この帯状板材の上方において、壁体の表面に内装下地材を帯状板材の上面に当接するようにして取り付けたので、このような内装下地材付き壁体を建築現場で床部の床面に立設して組み立て、前記帯状板材の表面から前記壁体を通して前記床部にスクリュー釘等の止着材を打ち込むことにより、壁体に内装下地材を予め取り付けた状態で建物を施工することができる。したがって、建築現場において、壁体に内装下地材を取り付ける作業を省略できる。
また、帯状板材を、前記壁体の下端面とほぼ面一になるようにして取り付け、前記帯状板材の上方において、前記壁体の表面に、内装下地材を前記帯状板材の上面に当接するようにして取り付けたので、内装下地材の壁体表面に対する取り付け位置の位置決めが容易であり、しかも内装下地材が壁体の下端から突出することがないので、内装下地材に亀裂や割れ等を生じさせることなく、壁体を床上に確実に設置することができる。
【００３４】
請求項２記載の発明に係る内装下地材付き壁体によれば、請求項１と同様の効果を得ることができるのは勿論のこと、内装下地材付き壁体の表面側部には、帯状板材と内装下地材が取り付けられていない未艤装領域が設けられていることから、この内装下地材付き壁体を用いて建物の壁を構築することで、前記内装下地材付き壁体に取り付けられた内装下地材が、前記内装下地材付き壁体どうしを接合する際に邪魔にならない。
そして、内装下地材付き壁体どうしを接合した後は、建築現場で内装下地材を取り付ける部分が、前記未艤装領域のみになることから、建築現場において、壁体に内装下地材を取り付ける作業を簡略化できる。
【００３５】
請求項３記載の発明に係る内装下地材付き壁体によれば、請求項１または２と同様の効果を得ることができるのは勿論のこと、内装下地材付き壁体の表面上部および表面下部には、帯状板材と内装下地材が取り付けられていない未艤装領域が設けられていることから、この内装下地材付き壁体を用いて建物の壁を構築することで、前記内装下地材付き壁体に取り付けられた内装下地材が、前記内装下地材付き壁体を該内装下地材付き壁体の上下に位置する構造物に接合する際に邪魔にならない。
そして、前記内装下地材付き壁体を該内装下地材付き壁体の上下に位置する構造物に接合した後は、建築現場で内装下地材を取り付ける部分が、前記未艤装領域のみになることから、建築現場において、壁体に内装下地材を取り付ける作業を簡略化できる。
【００３６】
請求項４記載の発明に係る内装下地材付き壁体によれば、請求項１〜３のいずれかと同様の効果を得ることができるのは勿論のこと、壁体の一方の表面に、帯状板材と内装下地材が取り付けられ、前記壁体の他方の表面には、外壁材が取り付けられているから、この内装下地材付き壁体を用いて建物の外壁を構築することにより、建築現場での外壁材の取り付け作業を省略でき、また、内装下地材の取り付け作業を省略または簡略化できる。
【００３７】
請求項５記載の発明に係る内装下地材付き壁体によれば、請求項１〜３のいずれかと同様の効果を得ることができるのは勿論のこと、前記壁体の両面にそれぞれ、帯状板材と内装下地材が取り付けられているから、この内装下地材付き壁体を用いて建物の内壁を構築することにより、建築現場での内装下地材の取り付け作業を省略または簡略化できる。
【００３８】
請求項６記載の発明に係る内装下地材付き壁体によれば、請求項１〜５のいずれかと同様の効果を得ることができるのは勿論のこと、前記壁体が複数の壁パネルを接合することで構成された大型壁パネルであるため、この内装下地材付き壁体で建物の壁を構築することにより、建築現場での壁パネル同士の接合作業を削減できる。したがって建築現場における作業効率がさらにアップする。
【図面の簡単な説明】
【図１】本発明に係る内装下地材付き壁体を床部に立設した際の内装下地材および床部の構成の一部を示した斜視図である。
【図２】同、内装下地材付き壁体と床部との接合部分を示した断面図である。
【図３】同、内装下地材付き壁体と床部との接合部分を示した断面図である。
【図４】同、内装下地材付き壁体の上端面と二階を構成する床部との接合部分を示した断面図である。
【図５】同、内装下地材付き壁体の上端面と二階を構成する床部との接合部分を示した断面図である。
【図６】本発明の内装下地材付き壁体と床部における未艤装領域に内装下地材を取り付ける様子の一部を示した斜視図である。
【図７】本発明の内装下地材付き壁体と床部における未艤装領域に内装下地材を取り付けた状態の一部を示した斜視図である。
【図８】本発明の内装下地材付き壁体の構成の一例を示した正面図である。
【図９】同、内装下地材付き壁体の構成の一例を示した正面図である。
【図１０】従来の、壁体を床部の床面に立設する様子について示した断面図である。
【符号の説明】
１０、２０，３０  内装下地材付き壁体
１０ａ，２０ａ，３０ａ  壁体
１２，７２  面材（建物の内側を向く表面）
１３，７３  面材（建物の外側を向く表面）
１４，２４，３４ａ，３４ｂ，７４，１０４ａ，１０４ｂ  帯状板材
１５，２５，３５ａ，３５ｂ，７５，１０５ａ，１０５ｂ  内装下地材
１６・・・，２６，２６，２６，３６・・・ 未艤装領域
１９，７９  外壁材
４０，６０  床部
５０  基礎（構造物）
７０，１００  内装下地材付き壁体（構造物）
７０ａ，１００ａ  壁体
８０，９０，９１，１１０，１２０，１２１  スクリュー釘（止着材）
１３０  内装下地材
【図１】
0004169873.tif 000002
【図２】
0004169873.tif 000003
【図３】
0004169873.tif 000004
【図４】
0004169873.tif 000005
【図５】
0004169873.tif 000006
【図６】
0004169873.tif 000007
【図７】
0004169873.tif 000008
【図８】
0004169873.tif 000009
【図９】
0004169873.tif 000010
【図１０】
0004169873.tif 000011